(57)【要約】      （修正有）【課題】暗号化されたファイルを印刷するときに、データ復号の待ち時間を無くし、印刷されたものが放置されることなくユーザが取得できるセキュリティに優れた画像処理装置等を提供する。【解決手段】画像処理装置（１０）と端末装置（２０）とが通信可能に接続され、送信されたファイルを画像処理装置（１０）により印刷する印刷システム（１）において、端末装置（２０）は、暗号化されたファイルと、暗号化されたファイルを復号する復号パスワードとを画像処理装置（１０）に送信し、画像処理装置（１０）は、暗号化されたファイルと、復号パスワードとを取得したときに、復号パスワードに基づき暗号化されたファイルを復号して印刷データを生成して、画像処理装置（１０）に印刷データを保存し、印刷処理を実行するときに、復号パスワードが入力されたときに、印刷データに基づき印刷処理を実行することを特徴とする。【選択図】図１
2020192688.tif 000002
【特許請求の範囲】
【請求項１】
制御部により送信されたファイルを印刷可能な画像処理装置であって、
前記制御部は、暗号化されたファイルと、前記暗号化されたファイルを復号するためのパスワードとを取得したときに、前記パスワードに基づき前記暗号化されたファイルを復号して印刷データを生成して、前記画像処理装置の記憶部に前記印刷データを保存し、
印刷処理を実行する場合、前記パスワードが入力されたときには、前記印刷データに基づき印刷処理を実行することを特徴とする画像処理装置。
【請求項２】
前記暗号化されたファイルは、電子メールに添付して当該画像処理装置に送信され、
前記パスワードは、前記暗号化されたファイルが添付された電子メールの本文に記載されることを特徴とする請求項１に記載の画像処理装置。
【請求項３】
前記パスワードを記憶したファイルと前記暗号化したファイルとは、ＦＴＰ経由で当該画像処理装置に送信されることを特徴とする請求項１に記載の画像処理装置。
【請求項４】
前記画像処理装置は、印刷データを保存する記憶部を備え、
前記記憶部は、ユーザ毎に印刷データを収容するユーザ用記憶領域を備え、
前記ユーザ用記録領域は、ユーザ毎に関連付けられたパスワードが設定され、
前記制御部は、前記ユーザ毎に関連付けられたパスワードが前記暗号化されたファイルを復号するためのパスワードと一致する場合は、前記暗号化されたファイルの印刷データは、前記ユーザ毎のパスワードに対応するユーザ用記憶領域に保存され、
印刷処理を実行する場合、前記暗号化されたファイルを復号するためのパスワードが入力されたときは、前記ユーザ用記憶領域に保存された前記暗号化されたファイルが選択可能になり、選択されたファイルの印刷データに基づき印刷処理を実行することを特徴とする請求項１から３のうち何れか一項に記載の画像処理装置。
【請求項５】
前記当該画像処理装置は、ユーザ認証機能を備え、
前記制御部は、ユーザが当該画像処理装置にログインするときに、ログインするためのパスワードが前記暗号化されたファイルを復号するためのパスワードと一致した場合は、前記印刷データに基づき印刷処理を実行することを特徴とする請求項１から３のうち何れが一項に記載の画像処理装置。
【請求項６】
電子写真方式により画像を出力可能な画像処理装置と外部機器とが通信可能に接続され、前記外部機器から送信されたファイルを前記画像処理装置により印刷可能な印刷システムにおいて、
前記外部機器は、
暗号化されたファイルと、前記暗号化されたファイルを復号するためのパスワードとを前記画像処理装置に送信し、
前記画像処理装置は、
暗号化されたファイルと、前記暗号化されたファイルを復号するためのパスワードとを取得したときに、前記パスワードに基づき前記暗号化されたファイルを復号して印刷データを生成して、前記画像処理装置の記憶部に前記印刷データを保存し、
印刷処理を実行する場合、前記パスワードが入力されたときには、前記印刷データに基づき印刷処理を実行することを特徴とする印刷システム。
【発明の詳細な説明】
【技術分野】
【０００１】
本発明は、送信されたファイルを印刷可能な画像処理装置等に関する。
【背景技術】
【０００２】
近年、ＭＦＰ（複合機）等の画像処理装置において、Ｅ−ｍａｉｌプッシュプリント（電子メールにファイルを添付して画像処理装置に送信して印刷する）やＦＴＰプッシュプリント（ＦＴＰ：File Transfer Protocol）経由で画像処理装置にファイルを送信して印刷する）により、暗号化したＰＤＦファイルをプリンタドライバを使用せずに直接印刷するようにしたものが知られている。
【０００３】
しかしながら、暗号化したＰＤＦファイルの場合は、解析時にパスワードなしエラーとなるため、例えば、一旦画像処理装置にファイルを保存し、ユーザが操作パネル上でパスワードを入力後に解析開始する必要がある。そのため、ユーザにとって、ファイルが送信されてから印刷が完了するまでに時間がかかるという課題があった。
【０００４】
そこで、上記課題を改善するために、電子メール本文にパスワードを記載したり、パスワード記載したファイルを添付したりすることで、操作パネル上でのパスワード入力操作を行うことなく解析開始する方法などが考えられる。しかしながら、この場合、暗号化したファイルがそのまま印刷されて、印刷結果がＭＦＰ等に放置される虞があるため、セキュリティ上の問題があった。
【０００５】
例えば、従来技術の一例として、図１２に示すように、（ａ）において、端末装置２０により暗号化ＰＤＦファイル４０１が添付された電子メール３０を画像処理装置１０１に送信する。そして、（ｂ）において、画像処理装置１０１によりＥ−ｍａｉｌプッシュプリントで印刷する場合、パスワードなしでは解析時にエラーとなるため、一旦画像処理装置１０１に暗号化ＰＤＦファイル４０１を保存する。
【０００６】
ユーザは、（ｂ）において、画像処理装置１０１の前に来て、操作パネル１１１から保存された暗号化ＰＤＦファイル４０１を選択すると、（ｃ）において、パスワード入力画面１１２が表示される。ユーザがパスワード４０２を入力したタイミングで解析処理が開始され、（ｄ）において、印刷データ生成後に印刷開始して画像処理装置１０１から用紙５０１が排紙される。この場合、画像処理装置１０１において解析処理の開始が遅れるため、ユーザにとってファイル送信から印刷完了までに時間がかかる。
【０００７】
また、他の例として、図１３に示すように、（ａ）において、端末装置２０により暗号化ＰＤＦファイル４０１が添付された電子メール３０を画像処理装置１０１に送信する。このとき、暗号化ＰＤＦファイル４０１のパスワード４１１を電子メール本文に記載して画像処理装置１０１に送信する方法が考えられる。（ｂ）において、画像処理装置１０１においてメール受信直後から電子メール本文のパスワードを使用して解析処理を開始することが可能となり、印刷データ生成後に印刷開始して用紙５０１が排紙される。この場合、（ｃ）において、ユーザが画像処理装置１０１の前に来るまで、パスワードで保護した暗号化ＰＤＦファイルを印刷した用紙５０１が放置される可能性があるため、セキュリティ上の問題がある。
【０００８】
また、従来技術として、暗号化された文書データを復号して得られる文書データに基づいて画像形成を行う画像処理装置において、暗号化したＰＤＦファイルを選択後にパスワード入力して印刷するようにしたものが提案されている（特許文献１を参照。）。
【先行技術文献】
【特許文献】
【０００９】
【特許文献１】特開２００６−３４１４０４号公報
【発明の概要】
【発明が解決しようとする課題】
【００１０】
しかし、特許文献１に記載された技術は、暗号化されたファイルをそのまま保存するか、復号化後のファイルを保存するかを選択して、選択に応じて暗号化された文書データ又は復号された文書データを記憶させる構成とすることにより、利便性を低下させることなく文書データの機密保護を図ることを特徴するものであって、上述した課題である、ファイルが送信されてから印刷が完了するまでに時間がかかるという問題や、セキュリティに関する問題を解決するに至らなかった。
【００１１】
本発明は、上記従来の課題に鑑みてなされたものであり、暗号化されたファイルを印刷するときに、データ復号の待ち時間を無くし、印刷されたものが放置されることなくユーザが取得できるセキュリティに優れた印刷を可能にした画像処理装置等を提供することを目的とする。
【課題を解決するための手段】
【００１２】
本発明は、制御部により送信されたファイルを印刷可能な画像処理装置であって、前記制御部により、暗号化されたファイルと、前記暗号化されたファイルを復号するためのパスワードとを取得したときに、前記パスワードに基づき前記暗号化されたファイルを復号して印刷データを生成して、前記画像処理装置の記憶部に前記印刷データを保存し、印刷処理を実行する場合、前記パスワードが入力されたときには、前記印刷データに基づき印刷処理を実行することを特徴とするものである。
【００１３】
また、本発明は、電子写真方式により画像を出力可能な画像処理装置と外部機器とが通信可能に接続され、前記外部機器から送信されたファイルを前記画像処理装置により印刷可能な印刷システムにおいて、前記外部機器が、暗号化されたファイルと、前記暗号化されたファイルを復号するためのパスワードとを前記画像処理装置に送信し、前記画像処理装置が、暗号化されたファイルと、前記暗号化されたファイルを復号するためのパスワードとを取得したときに、前記パスワードに基づき前記暗号化されたファイルを復号して印刷データを生成して、前記画像処理装置の記憶部に前記印刷データを保存し、印刷処理を実行する場合、前記パスワードが入力されたときには、前記印刷データに基づき印刷処理を実行することを特徴とするものである。
【発明の効果】
【００１４】
本発明の画像処理装置によれば、制御部により送信されたファイルを印刷可能な画像処理装置であって、前記制御部により、暗号化されたファイルと、前記暗号化されたファイルを復号するためのパスワードとを取得したときに、前記パスワードに基づき前記暗号化されたファイルを復号して印刷データを生成して、前記画像処理装置の記憶部に前記印刷データを保存し、印刷処理を実行する場合、前記パスワードが入力されたときには、前記印刷データに基づき印刷処理を実行するようにしたことで、暗号化されたファイルを印刷するときに、データ解析の待ち時間を無く、印刷されたものが放置されることなくユーザが取得できるセキュリティに優れた印刷を可能にした画像処理装置を実現できる。
【００１５】
また、本発明の印刷システムによれば、電子写真方式により画像を出力可能な画像処理装置と外部機器とが通信可能に接続され、前記外部機器から送信されたファイルを前記画像処理装置により印刷可能な印刷システムにおいて、前記外部機器が、暗号化されたファイルと、前記暗号化されたファイルを復号するためのパスワードとを前記画像処理装置に送信し、前記画像処理装置が、暗号化されたファイルと、前記暗号化されたファイルを復号するためのパスワードとを取得したときに、前記パスワードに基づき前記暗号化されたファイルを復号して印刷データを生成して、前記画像処理装置の記憶部に前記印刷データを保存し、印刷処理を実行する場合、前記パスワードが入力されたときには、前記印刷データに基づき印刷処理を実行するようにしたことで、暗号化されたファイルを印刷するときに、データ解析の待ち時間を無く、印刷されたものが放置されることなくユーザが取得できるセキュリティに優れた印刷を可能にした印刷システムを実現できる。
【図面の簡単な説明】
【００１６】
【図１】第１実施形態に係る印刷システムの構成を示すブロック図である。
【図２】前記印刷システムを構成する画像処理装置による印刷処理を行う概略の操作を示す説明図である。
【図３】前記印刷システムにおけるＥ−ｍａｉｌプッシュプリント要求処理の一例を示すフローチャートである。
【図４】前記印刷システムにおけるＦＴＰによるファイル送信要求処理の一例を示すフローチャートである。
【図５】前記印刷システムにおける画像処理装置のデータ受信処理の一例を示すフローチャートである。
【図６】前記印刷システムにおける画像処理装置の暗号化ファイル印刷処理の一例を示すフローチャートである。
【図７】前記印刷システムにおける画像処理装置の通常ファイル印刷処理の一例を示すフローチャートである。
【図８】第２実施形態に係る印刷システムを構成する画像処理装置による印刷処理を行う概略の操作を示す説明図である。
【図９】前記印刷システムにおける画像処理装置の暗号化ファイル印刷処理の一例を示すフローチャートである。
【図１０】第３実施形態に係る印刷システムを構成する画像処理装置による印刷処理を行う概略の操作を示す説明図である。
【図１１】前記印刷システムにおける画像処理装置の暗号化ファイル印刷処理の一例を示すフローチャートである。
【図１２】従来の印刷システムによる印刷処理を行う概略の操作の一例を示す説明図である。
【図１３】従来の印刷システムによる印刷処理を行う概略の操作の他の例を示す説明図である。
【発明を実施するための形態】
【００１７】
（第１実施形態）
以下、本発明の第１実施形態について図面を参照して説明する。
図１は発明を実施する形態の一例であって、本発明の第１実施形態に係る印刷システムの構成を示すブロック図、図２は前記印刷システムを構成する画像処理装置による印刷処理を行う概略の操作を示す説明図である。
【００１８】
第１実施形態に係る印刷システム１は、図１に示すように、ネットワークＮＷを介して画像処理装置１０と端末装置（外部機器）２０とが通信可能に接続されたシステムであって、端末装置２０から受信した電子メールに添付されたＰＤＦファイルを画像処理装置１０により印刷可能としたものである。
【００１９】
画像処理装置１０は、端末装置２０から受信した電子メールに、暗号化されたＰＤＦファイルが添付され、当該ＰＤＦファイルを復号するパスワードが記載されているときは、電子メールを受信すると、前記パスワードに基づきＰＤＦファイルを復号して印刷データを生成して、画像処理装置１０の記憶部に印刷データとして保存し、印刷処理を実行する場合、前記パスワードが入力されたときには、前記印刷データに基づき印刷処理を実行することを特徴としている。
【００２０】
（画像処理装置の構成）
ここで、第１実施形態に係る画像処理装置１０の構成について説明する。
画像処理装置は、図１に示すように、主に、I/O部１１０、データ解析部１２０、メモリ管理部１３０、画像生成部１４０、UI制御部１５０、エンジン制御部１６０、ジョブ制御部（制御部）１７０、を備えて構成されている。
【００２１】
I/O部１１０は、ネットワークＮＷ、USB等を経由しての外部装置との通信を行う。
データ解析部１２０は、暗号化ＰＤＦファイルの解析処理（復号処理）を行う。
メモリ管理部（記憶部）１３０は、ハードディスクやメモリ等の記憶装置で構成され、画像データやジョブ情報など印刷に必要な印刷データを記憶し、ワーク領域を含む記憶容量の管理を行う。
【００２２】
画像生成部１４０は、ジョブに含まれる印刷情報を解析し、ジョブの種別、部数指定、用紙サイズ、用紙タイプ、トレイ指定など、印刷に必要なデータの解析を行い、印刷に使用する画像データを生成する。
【００２３】
UI制御部１５０は、オペレーションパネル上のメッセージ表示や操作を制御する。
エンジン制御部（画像出力部）１６０は、画像データを印刷するエンジンの駆動制御を行う。
【００２４】
ジョブ制御部１７０は、ジョブの受信から保存、印刷完了までのジョブの管理を行う。ジョブに紐づくパスワードの管理、パスワードのチェックを行う。
【００２５】
端末装置２０は、利用者によって操作される情報処理装置である。端末装置２０は、ＰＣ（Personal Computer）、スマートフォンや、タブレット、といった装置によって構成されており、制御部を備える。
【００２６】
（印刷システムによる印刷処理の流れ）
次に、第１実施形態に係る印刷システム１おいて、電子メールに添付されたＰＤＦファイルの印刷処理を行う操作について説明する。
【００２７】
印刷システム１では、図２に示すように、（ａ）において、端末装置２０はＥ−ｍａｉｌプッシュプリントで電子メール３０に暗号化ＰＤＦファイル４０を添付し、かつ、暗号化ＰＤＦファイル４０を復号する復号パスワード（以下、「復号パスワード」と称する。）４１をメール本文に記載して画像処理装置１０に送信する。
【００２８】
（ｂ）において、画像処理装置１０は、電子メール３０を受信後、メール本文中に記載された復号パスワード４１を取得し、復号パスワード４１を使用して復号処理を開始して印刷データ４０ａの生成を行う。
【００２９】
ここでは、印刷開始は行わずに、ファイリングデータとして画像処理装置１０内に印刷データ４０ａを保存する。この時、復号パスワード４１をこの印刷データ４０ａのパスワード（以下、「印刷パスワード」と称する。）４１ａとする。
【００３０】
（ｃ）において、ユーザが画像処理装置１０の前に来て、このファイリングデータを選択するとパスワード入力画面１２を表示し、印刷パスワード４１ａを入力すると復号済みの印刷データ４０ａを使用して即時に印刷開始する。この場合、ユーザが画像処理装置１０の前に来てから用紙５０を排紙するためセキュリティ上の問題なく、また、データ復号の待ち時間無く印刷することが可能となる。
【００３１】
なお、上述した例では、電子メールに暗号化ＰＤＦファイル４０を添付して、メール本文に復号パスワード４１を記載するようにしているが、暗号化ＰＤＦファイル４０と復号パスワード４１を画像処理装置１０に送信する方法としては、ＦＴＰ等、他の通信手段も考えられる。
【００３２】
例えば、パスワードを記載したテキストファイルと暗号化ＰＤＦファイルを圧縮したファイルを作成し、それを画像処理装置１０にＦＴＰ経由で送信することで、画像処理装置１０で暗号化ＰＤＦファイル４０と復号パスワード４１の関連付けすることができる。
【００３３】
（Ｅ−ｍａｉｌプッシュプリント要求処理）
ここで、印刷システム１におけるＥ−ｍａｉｌによるファイル送信要求処理について説明する。
図３は第１実施形態に係る印刷システムにおけるＥ−ｍａｉｌプッシュプリント要求処理の一例を示すフローチャートである。
【００３４】
印刷システム１において、Ｅ−ｍａｉｌによるファイル送信要求処理を行う場合は、図３に示すように、まず、端末装置２０において、メールアプリを起動して電子メールを作成する（ステップＳ１０１）。そして、印刷するＰＤＦファイルを電子メールに添付する（ステップＳ１０３）。
【００３５】
電子メールに添付されたファイルが暗号化ＰＤＦファイルであるか否かが判定される（ステップＳ１０５）。ステップＳ１０５において、添付されたファイルが暗号化ＰＤＦファイルではないと判定された場合は、そのまま画像処理装置１０に対して電子メールを送信して印刷要求を行う（ステップＳ１０９）。
【００３６】
一方、ステップＳ１０５において、添付されたファイルが暗号化ＰＤＦファイルであると判定された場合は、暗号化ＰＤＦファイルの復号パスワードをメール本文に記載する（ステップＳ１０７）。そして、画像処理装置１０に対して電子メールを送信して印刷要求を行う（ステップＳ１０９）。
このようにして、Ｅ−ｍａｉｌによるファイル送信要求処理が行われる。
【００３７】
（ＦＴＰプッシュプリント要求処理）
次に、印刷システム１におけるＦＴＰによるファイル送信要求処理について説明する。
図４は第１実施形態に係る印刷システムにおけるＦＴＰによるファイル送信要求処理の一例を示すフローチャートである。
【００３８】
印刷システム１において、ＦＴＰによるファイル送信要求処理を行う場合は、図４に示すように、まず、端末装置２０において、ＦＴＰクライアントを起動して、画像処理装置１０と接続する（ステップＳ２０１）。そして、印刷するファイルが暗号化ＰＤＦファイルであるか否かが判定される（ステップＳ２０３）。
【００３９】
ステップＳ２０３において、印刷するファイルが暗号化ＰＤＦファイルではないと判定された場合は、そのまま画像処理装置１０に対してファイルを送信して印刷要求を行う（ステップＳ２０９）。
【００４０】
一方、ステップＳ２０３において、印刷するファイルが暗号化ＰＤＦファイルであると判定された場合は、復号パスワードを記載したテキストファイルを作成する（ステップＳ２０５）。そして、印刷する暗号化ＰＤＦファイルと復号パスワードが記載されたテキストファイルとを圧縮して１つの圧縮ファイルを作成する（ステップＳ２０７）。そして、画像処理装置１０に対して圧縮ファイルを送信して印刷要求を行う（ステップＳ２０９）。このようにして、ＦＴＰによるファイル送信要求処理が行われる。
【００４１】
（画像処理装置におけるデータの受信処理）
次に、印刷システム１における画像処理装置１０におけるデータの受信処理について説明する。
図５は第１実施形態に係る印刷システムにおける画像処理装置のデータ受信処理の一例を示すフローチャートである。
【００４２】
印刷システム１において、画像処理装置１０によりデータ受信処理を行う場合は、図５に示すように、ネットワークＮＷからのデータ受信待ち状態で待機して（ステップＳ３０１）、ＦＴＰ経由でデータ受信があったか否かが判定される（ステップＳ３０３）。
【００４３】
ステップＳ３０３において、ＦＴＰ経由でデータ受信があったと判定された場合は、受信ファイルが圧縮ファイルであるか否かが判定される（ステップＳ３０５）。ステップＳ３０５において、受信ファイルが圧縮ファイルであると判定された場合は、圧縮ファイルを解凍して、そこから印刷ファイルとテキストファイルを取得する（ステップＳ３０７））。そして、テキストファイルの内容を復号して、記載されている復号パスワードを取得する（ステップＳ３０９）。そして、暗号化ファイル印刷処理に移行する（ステップＳ３１９）。
【００４４】
また、ステップＳ３０５において、受信ファイルが圧縮ファイルではないと判定された場合は、暗号化されていない通常ファイルと判断して通常印刷処理に移行する（ステップＳ３１５）。
【００４５】
一方、ステップＳ３０３において、ＦＴＰ経由のデータ受信がないと判定された場合は、Ｅ−ｍａｉｌによる受信であるか否かが判定される（ステップＳ３１１）。ステップＳ３１１において、Ｅ−ｍａｉｌによる受信ではないと判定された場合は、ステップＳ３０１に戻り、データ受信待機となる。
【００４６】
一方、ステップＳ３１１において、Ｅ−ｍａｉｌによる受信があると判定された場合は、メール本文に復号パスワードが記載されているか否かが判定される（ステップＳ３１３）。ステップＳ３１３において、メール本文に復号パスワードが記載されていると判定された場合は、復号パスワードと添付されている印刷ファイルを取得して（ステップＳ３１７）、暗号化ファイル印刷処理に移行する（ステップＳ３１９）。
【００４７】
ステップＳ３１３において、メール本文に復号パスワードが記載されていないと判定された場合は、暗号化されていない通常ファイルと判断して通常印刷処理に移行する（ステップＳ３１５）。このようにして、画像処理装置１０においてデータ受信処理が行われる。
【００４８】
（画像処理装置における暗号化ファイル印刷処理）
次に、画像処理装置１０におけるデータの受信処理について説明する。
図６は第１実施形態に係る印刷システムにおける画像処理装置の暗号化ファイル印刷処理の一例を示すフローチャートである。
【００４９】
画像処理装置１０におけるデータ受信処理は、図６に示すように、まず、データ受信処理で取得した復号パスワードを使用して、暗号化ＰＤＦファイルの復号を行う（ステップＳ４０１）。そして、印刷データを生成して保存する（ステップＳ４０３）。このとき、復号パスワードを、保存するファイリングデータの印刷パスワードとして設定する（ステップＳ４０５）。すなわち、暗号化ＰＤＦファイルの復号パスワードと保存するファイリングデータの印刷パスワードとは同じパスワードとしている。
【００５０】
そして、ユーザが画像処理装置１０の操作パネル上でユーザ毎に印刷データを記憶して管理するファイリング操作画面に入るのを待つ（ステップＳ４０７）。そして、ファイリング操作画面で保存した暗号化ＰＤＦファイルを選択して（ステップＳ４０９）、パスワード入力画面を表示する（ステップＳ４１１）。
【００５１】
そして、ユーザが入力したパスワードが復号パスワードと一致したか否かが判定される（ステップＳ４１３）。ステップＳ４１３において、ユーザが入力したパスワードが復号パスワードと一致したと判定された場合は、復号済みの印刷データを使用して印刷を行う（ステップＳ４１５）。
【００５２】
一方、ユーザが入力したパスワードが復号パスワードと一致していない場合は、ステップＳ４１１に戻り、再度パスワード入力を要求する。
このようにして、画像処理装置における暗号化ファイル印刷処理が行われる。
【００５３】
（画像処理装置における通常ファイル印刷処理）
次に、画像処理装置１０における通常ファイルの印刷処理について説明する。
図７は第１実施形態に係る印刷システムにおける画像処理装置の通常ファイル印刷処理の一例を示すフローチャートである。
【００５４】
画像処理装置１０における暗号化されていない通常ファイルの印刷処理は、図７に示すように、データ受信処理で取得した印刷ファイルを復号して（ステップＳ５０１）、印刷データ４０ａを生成する（ステップＳ５０３）。そして、その印刷データ４０ａを使用してそのまま印刷処理が行われる（ステップＳ５０５）。このようにして、画像処理装置における暗号化されていない通常ファイルの印刷処理が行われる。
【００５５】
以上のように構成したので、第１実施形態によれば、ネットワークＮＷを介して画像処理装置１０と端末装置２０とが通信可能に接続された印刷システム１において、画像処理装置１０が、端末装置２０から送信された暗号化ＰＤＦファイル４０と、暗号化ＰＤＦファイル４０の復号するための復号パスワード４１とを取得したときは、復号パスワード４１に基づき暗号化ＰＤＦファイル４０を復号して印刷データ４０ａを生成して、画像処理装置１０のメモリ管理部１３０内に印刷データ４０ａを保存し、暗号化ＰＤＦファイル４０の印刷処理を実行する場合は、復号パスワード４１をこの印刷データ４０ａの印刷パスワード４１ａとして入力されたときに、印刷データに基づき印刷処理を実行するようにしたことで、暗号化ＰＤＦファイル４０のデータ復号の待ち時間を無くして、画像処理装置１０に対して直接操作するようにしたので、印刷されたものが放置されることなくユーザが取得でき、セキュリティに優れた印刷処理を可能にした印刷システムを実現できる。
【００５６】
（第２実施形態）
次に、第２実施形態について図面を参照して説明する。
図８は第２実施形態に係る印刷システムを構成する画像処理装置による印刷処理を行う概略の操作を示す説明図である。
【００５７】
なお、説明の便宜上、第１実施形態と同一の機能を有する構成については、同一の番号を付して説明を省略する。
【００５８】
第２実施形態に係る印刷システム２０１は、図８に示すように、画像処理装置２１０には、印刷データを記憶する記憶部として機能するメモリ管理部１３０を備え、メモリ管理部１３０には、ユーザ毎に印刷データを収容するユーザフォルダ（ユーザ用記憶領域）を備えている。ユーザフォルダは、ユーザ毎に関連付けられたパスワード（以下、「ユーザパスワード」と称する。）が設定されている。
【００５９】
第２実施形態では、画像処理装置２１０において、ユーザパスワードが復号パスワードと一致する場合は、暗号化されたファイルの印刷データは、ユーザ毎のユーザパスワードに対応するユーザフォルダに保存され、印刷処理を実行する場合、復号パスワードが入力されたときは、復号パスワードと一致するユーザパスワードに対応するユーザフォルダに保存された暗号化されたファイルが選択可能になり、選択されたファイルの印刷データに基づき印刷処理を実行することを特徴としている。
【００６０】
（印刷システムによる印刷処理の流れ）
次に、第２実施形態に係る印刷システム２０１おいて、電子メールに添付されたＰＤＦファイルの印刷処理を行う操作について説明する。
【００６１】
第２実施形態では、画像処理装置２１０において、受信したＰＤＦファイル４０をユーザフォルダに適用するか否かは、設定画面によりユーザ選択可能とする。また、画像処理装置２１０ユーザフォルダには事前に各ユーザがパスワードを設定しているものとする。
【００６２】
第２実施形態では、図８に示すように、（ａ）において、端末装置２０はＥ−ｍａｉｌプッシュプリントで電子メール３０に暗号化ＰＤＦファイル４０を添付し、かつ、暗号化ＰＤＦファイル４０を復号する復号パスワード４１をメール本文に記載して画像処理装置１０に送信する。
【００６３】
（ｂ）において、画像処理装置２１０は、電子メール３０を受信後、メール本文中に記載された復号パスワード４１を取得し、復号パスワード４１を使用して復号処理を開始して印刷データ４０ａの生成を行う。
【００６４】
第２実施形態では、画像処理装置２１０には、ファイリングデータとして、例えば、ユーザＡ用フォルダ１３１Ａ、ユーザＢ用フォルダ１３１Ｂ、ユーザＣ用フォルダ１３１Ｃが設けられている。
【００６５】
復号パスワード４１がユーザフォルダのユーザパスワードと一致する場合、そのユーザフォルダ内に暗号化ＰＤＦファイル４０の印刷データ４０ａを保存する。例えば、復号パスワード４１がユーザＡのユーザパスワードと一致した場合は、印刷データ４０ａはユーザＡ用フォルダ１３１Ａに保存される。
【００６６】
（ｃ）において、ユーザが画像処理装置２１０の前に来て、ユーザ自身のユーザフォルダを選択するとパスワード入力画面１２を表示し、ユーザパスワードを要求される。
ユーザが、ユーザパスワード（例えば、ユーザパスワード４１Ａ）を正しく入力することで、ユーザフォルダ内のファイル一覧にアクセスすることが可能になる。
【００６７】
そして、（ｄ）において、表示されたファイル一覧選択画面１３のファイル一覧から暗号化ＰＤＦファイル４０を選択すると、パスワードの再入力なしで復号済みの印刷データを使用して即時に印刷開始する。
【００６８】
このように、ユーザが自分のユーザ用フォルダに対応するユーザパスワードを入力するだけで、ユーザに関係する印刷データを一覧表示できるので、簡単に所望の印刷データを選択して印刷することができる。この場合も、第１実施形態と同様に、ユーザが画像処理装置２１０の前に来てから用紙５０を排紙するためセキュリティ上の問題なく、また、データ復号の待ち時間無く印刷することが可能となる。
【００６９】
（画像処理装置における暗号化ファイル印刷処理）
次に、画像処理装置２１０におけるデータの受信処理について説明する。
図９は第２実施形態に係る印刷システムにおける画像処理装置の暗号化ファイル印刷処理の一例を示すフローチャートである。
【００７０】
画像処理装置２１０におけるデータ受信処理は、図９に示すように、まず、データ受信処理で取得した復号パスワードを使用して、暗号化ＰＤＦファイルの復号を行う（ステップＳ６０１）。そして、復号パスワードがユーザフォルダのユーザパスワードと一致しているか否かが判定される（ステップＳ６０３）。
【００７１】
ステップＳ６０３において、復号パスワードがユーザフォルダのユーザパスワードと一致していると判定された場合は、復号パスワードが一致したユーザフォルダ内に印刷データを保存する（ステップＳ６０５）。そしてステップＳ６１１に進む。
【００７２】
一方、ステップＳ６０３において、復号パスワードがユーザフォルダのユーザパスワードと一致していない判定された場合は、印刷データを生成して保存する（ステップＳ６０７）。このとき、復号パスワードを、保存するファイリングデータの印刷パスワードとして設定する（ステップＳ６０９）。すなわち、暗号化ＰＤＦファイルの復号パスワードと保存するファイリングデータの印刷パスワードとは同じパスワードとしている。
【００７３】
そして、ユーザが画像処理装置１０の操作パネル上でユーザ毎に印刷データを記憶して管理するファイリング操作画面に入るのを待つ（ステップＳ６１１）。
【００７４】
そして、ファイリング操作画面において、ユーザがユーザフォルダを選択したか否かが判定される（ステップＳ６１３）。ステップＳ６１３において、ユーザがユーザフォルダを選択したと判定された場合は、ユーザフォルダのパスワード入力画面が表示される（ステップＳ６２１)。
【００７５】
そして、ユーザが入力したユーザパスワードが復号パスワードと一致したか否かが判定される（ステップＳ６２３）。ステップＳ６２３において、ユーザが入力したユーザパスワードが復号パスワードと一致しないと判定された場合は、ステップＳ６２１に戻りパスワードを入力する。
【００７６】
一方、ステップＳ６２３において、ユーザが入力したユーザパスワードが復号パスワードと一致したと判定された場合は、ユーザフォルダ内のファイル一覧が表示されて、ユーザが暗号化ＰＤＦファイルを選択すると、復号済みの印刷データを使用して印刷が実行される（ステップＳ６２７）。
【００７７】
また、ステップＳ６１３において、ユーザがユーザフォルダを選択していないと判定された場合は、ファイリング操作画面で保存した暗号化ＰＤＦファイルが選択されて（ステップＳ６１５）、パスワード入力画面を表示する（ステップＳ６１７）。
【００７８】
そして、ユーザが入力したパスワードが復号パスワードと一致したか否かが判定される（ステップＳ６１９）。ステップＳ６１９において、ユーザが入力したパスワードが復号パスワードと一致したと判定された場合は、復号済みの印刷データを使用して印刷を行う（ステップＳ６２７）。
【００７９】
一方、ユーザが入力したパスワードが復号パスワードと一致していない場合は、ステップＳ６１７に戻り、再度パスワード入力を要求する。
このようにして、画像処理装置２１０における暗号化ファイル印刷処理が行われる。
【００８０】
以上のように構成したので、第２実施形態によれば、印刷システム２０１において、画像処理装置２１０に、ユーザ毎に印刷データを収容するユーザＡ用フォルダ１３１Ａ，ユーザＢ用フォルダ１３１Ｂ，ユーザＣ用フォルダ１３１Ｃを設けることで、受信した暗号化ＰＤＦファイルを復号した印刷データをユーザ毎にユーザフォルダに保存でき、入力される復号パスワードとユーザパスワードが一致したときに、ユーザフォルダに保存された暗号化されたファイルが選択可能になるため、暗号化ＰＤＦファイル４０のデータ復号の待ち時間を無くして印刷できるとともに、ユーザ毎に印刷データを保存して選択できるので、セキュリティに優れた印刷システムを実現できる。
【００８１】
（第３実施形態）
次に、第３実施形態について図面を参照して説明する。
図１０は第３実施形態に係る印刷システムを構成する画像処理装置による印刷処理を行う概略の操作を示す説明図である。
【００８２】
なお、説明の便宜上、第１実施形態と同一の機能を有する構成については、同一の番号を付して説明を省略する。
【００８３】
第３実施形態に係る印刷システム３０１は、図１０に示すように、画像処理装置３１０には、ユーザ認証機能を備え、ユーザが当該画像処理装置３１０にログインするときに、ログインするためのパスワード（以下、「ログインパスワード」と称する。）が暗号化されたファイルを復号する復号パスワードと一致した場合は、前記印刷データに基づき印刷処理を実行することを特徴としている。
【００８４】
（印刷システムによる印刷処理の流れ）
次に、第３実施形態に係る印刷システム３０１おいて、電子メールに添付されたＰＤＦファイルの印刷処理を行う操作について説明する。
【００８５】
第３実施形態では、画像処理装置３１０において、ログインユーザーに適用するか否かは、設定画面によりユーザ選択可能とする。また、画像処理装置３１０にログインユーザーが事前に登録されているものとする。また、画像処理装置３１０のユーザ認証機能を有効とし、ログイン名とパスワード入力後に画像処理装置３１０の操作が可能になるモードに設定されている。
【００８６】
第３実施形態では、図１０に示すように、（ａ）において、画像処理装置３１０は、ユーザ認証機能を有効にしている。設定画面１５において、暗号化ＰＤＦファイル４０の復号パスワードがログインするユーザのログインパスワードと対応するように設定される。
【００８７】
（ｂ）において、端末装置２０はＥ−ｍａｉｌプッシュプリントで電子メール３０に暗号化ＰＤＦファイル４０を添付し、かつ、暗号化ＰＤＦファイル４０を復号する復号パスワード４１をメール本文に記載して画像処理装置３１０に送信する。
【００８８】
（ｃ）において、画像処理装置３１０は、電子メール３０を受信後、メール本文に記載された復号パスワード４１を取得し、復号パスワードを使用して復号処理を開始して印刷データの生成を行う。ユーザ認証のパスワード入力画面１６には、ログイン名入力部３４２とパスワード入力部３４１とが表示されている。このとき、印刷開始はせずに、ファイリングデータとして画像処理装置３１０内に印刷データを保存する。このとき、暗号化ＰＤＦファイル４０の復号パスワード４１をこの印刷データのパスワードとする。
【００８９】
（ｄ）において、ユーザが画像処理装置３１０の前に来て、ユーザ認証を行うために、ユーザ認証のパスワード入力画面１６でログイン名入力部３４２にログイン名４２を入力し、パスワード入力部３４１にログインパスワード４１ｂを入力したとき、ログインパスワード４１ｂと同じ復号パスワード４１を設定した暗号化ＰＤＦファイル４０の印刷データがファイリングデータとして画像処理装置３１０内に保存されていれば、その復号済みの印刷データを使用して印刷開始する。
【００９０】
このように、ユーザが画像処理装置３１０にログインパスワード４１ｂ（復号パスワード４１と同じパスワード）を入力してログインするだけで、ログインパスワード４１ｂと一致する復号パスワード４１に基づき生成された印刷データ４０ａを特定して印刷するようにしたので、簡単に所望の印刷データを印刷することができる。この場合も、第１実施形態と同様に、ユーザが画像処理装置３１０の前に来てから用紙５０を排紙するためセキュリティ上の問題なく、また、データ復号の待ち時間無く印刷することが可能となる。
【００９１】
（画像処理装置における暗号化ファイル印刷処理）
次に、画像処理装置３１０におけるデータの受信処理について説明する。
図１１は第３実施形態に係る印刷システムにおける画像処理装置の暗号化ファイル印刷処理の一例を示すフローチャートである。
【００９２】
画像処理装置３１０におけるデータ受信処理は、図１０に示すように、まず、データ受信処理で取得した復号パスワードを使用して、暗号化ＰＤＦファイルの復号を行う（ステップＳ７０１）。そして、印刷データを生成して保存する（ステップＳ７０３）。このとき、復号パスワードを、保存するファイリングデータの印刷パスワードとして設定する（ステップＳ７０５）。すなわち、暗号化ＰＤＦファイルの復号パスワードと保存するファイリングデータの印刷パスワードとは同じパスワードとしている。
【００９３】
そして、ユーザが画像処理装置３１０にログインするのを待つ（ステップＳ７０７）。
そして、ユーザが画像処理装置３１０にログインしたか否かが判定される（ステップＳ７０９）。ユーザが画像処理装置３１０のパスワード入力画面１６において、ログイン名とログインパスワードを入力することで判定される。
【００９４】
ステップＳ７０９において、ユーザが画像処理装置３１０にログインが成功していないと判定された場合は、ステップＳ７０７に戻る。一方、ステップＳ７０９において、ユーザが画像処理装置３１０にログインが成功したと判定された場合は、さらに、そのログインパスワードがファイリングされている暗号化ＰＤＦファイルの復号パスワードと一致しているか否かが判定される（ステップＳ７１１）。
【００９５】
ステップＳ７１１において、ログインパスワードが復号パスワードと一致していると判定された場合は、その暗号化ＰＤＦファイルの復号済み印刷データを使用して印刷を行う（ステップＳ７２１）。
【００９６】
一方、ステップＳ７１１において、ログインパスワードが復号パスワードと一致していないと判定された場合は、ユーザが画像処理装置３１０の操作パネル上でユーザ毎に印刷データを記憶して管理するファイリング操作画面に入るのを待つ（ステップＳ７１３）。
【００９７】
そして、ファイリング操作画面で保存した暗号化ＰＤＦファイルを選択すると（ステップＳ７１５）、パスワード入力画面を表示する（ステップＳ７１７）。
【００９８】
そして、ユーザが入力したログインパスワードが復号パスワードと一致したか否かが判定される（ステップＳ７１９）。ステップＳ７１９において、ユーザが入力したログインパスワードが復号パスワードと一致したと判定された場合は、復号済みの印刷データを使用して印刷を行う（ステップＳ７２１）。
【００９９】
一方、ユーザが入力したログインパスワードが復号パスワードと一致していない場合は、ステップＳ７１７に戻り、再度パスワード入力を要求する。
このようにして、画像処理装置における暗号化ファイル印刷処理が行われる。
【０１００】
以上のように構成したので、第３実施形態によれば、印刷システム３０１において、画像処理装置３１０には、ユーザ認証機能を備え、ユーザが当該画像処理装置３１０にログインするときに、ログインパスワードが復号パスワードと一致した場合は、印刷データに基づき印刷処理を実行するようにしたことで、画像処理装置３１０への直接操作により、ユーザがログインするタイミングで印刷データを印刷するので、セキュリティに優れた印刷システムを実現できる。
【０１０１】
なお、上述した実施形態では、印刷対象となるファイルとしてＰＤＦファイルを使用しているが、ファイル形式はこれに限定されるものではなく、パスワードで保護された他のファイル形式（Officeファイル等）のダイレクト印刷でもよい。
【０１０２】
以上のように、本発明は、上述した実施形態に限定されるものではなく、請求項に示した範囲で種々の変更が可能である。当業者であれば、特許請求の範囲に記載された範疇内において、各種の変更例または修正例に想到し得ることは明らかであり、すなわち、本発明の要旨を逸脱しない範囲内において適宜変更した技術的手段を組み合わせて得られる実施形態についても本発明の技術的範囲に含まれる。
【０１０３】
また、上述した実施形態は、説明の都合上、それぞれ別に説明している部分があるが、技術的に可能な範囲で組み合わせて実行してもよいことは勿論である。
【符号の説明】
【０１０４】
１，２０１，３０１  印刷システム
１０，２１０，３１０  画像処理装置
２０  端末装置
３０  電子メール
４０  暗号化ＰＤＦファイル
４０ａ  印刷データ
４１  復号パスワード
４１ａ  印刷パスワード
４１Ａ  ユーザパスワード
４１ｂ  ログインパスワード
４２  ログイン名
１３０  メモリ管理部（記憶部）
１３１Ａ  ユーザＡ用フォルダ
１３１Ｂ  ユーザＢ用フォルダ
１３１Ｃ  ユーザフＣ用フォルダ
１７０  ジョブ制御部（制御部）
ＮＷ  ネットワーク
【図１】
2020192688.tif 000003
【図２】
2020192688.tif 000004
【図３】
2020192688.tif 000005
【図４】
2020192688.tif 000006
【図５】
2020192688.tif 000007
【図６】
2020192688.tif 000008
【図７】
2020192688.tif 000009
【図８】
2020192688.tif 000010
【図９】
2020192688.tif 000011
【図１０】
2020192688.tif 000012
【図１１】
2020192688.tif 000013
【図１２】
2020192688.tif 000014
【図１３】
2020192688.tif 000015